(57)【要約】      （修正有）【課題】ユーザの意図と異なる操作が実行されることを抑制できる表示装置を提供する。【解決手段】表示装置において、モード制御部２２は、タッチパネルが所定本数の指に接触された際に、第１接触モードに切り替えると共に、タッチパネルが第１接触モードと異なる本数の指に接触された際に、第２接触モードに切り替える。そして、データ編集部２３は、第１接触モードから直接に第２接触モードに切り替わった際に、直前の第１接触モードで操作された画像データの編集を取り消す。【選択図】図２
2014099053.tif 000002
【特許請求の範囲】
【請求項１】
画像データを表示する表示部と、
指に接触されるタッチパネルと、
前記タッチパネルが指にされた操作に基づいて、画像データを編集するデータ編集部と、
前記タッチパネルが指にされた操作に基づいて、画像データを前記表示部に表示する状態を制御する表示制御部と、
前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、
前記モード制御部は、前記タッチパネルが所定本数の指に接触された際に、第１接触モードに切り替えると共に、前記タッチパネルが第１接触モードと異なる本数の指に接触された際に、第２接触モードに切り替え、
前記データ編集部は、第１接触モードから直接に第２接触モードに切り替わった際に、直前の第１接触モードで操作された画像データの編集を取り消す、表示装置。
【請求項２】
画像データを表示する表示部と、
指に接触されるタッチパネルと、
前記タッチパネルが指にされた操作に基づいて、画像データを編集するデータ編集部と、
前記タッチパネルが指にされた操作に基づいて、画像データを前記表示部に表示する状態を制御する表示制御部と、
前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、
前記モード制御部は、前記タッチパネルが所定本数の指に接触された際に、第１接触モードに切り替えると共に、前記タッチパネルが第１接触モードと異なる本数の指に接触された際に、第２接触モードに切り替え、
前記データ編集部は、第２接触モードに切り替わった際に、直前の第１接触モードにおける接触時間及び接触操作距離の少なくとも一方が閾値以下である場合に、直前の第１接触モードで操作された画像データの編集を取り消す、表示装置。
【請求項３】
前記モード制御部は、第１接触モードにおいて、前記タッチパネルが指に接触されていない状態の時間が設定値以上である場合に、非接触モードに切り替える請求項１又は２に記載の表示装置。
【請求項４】
前記データ編集部は、第２接触モードに切り替わった際に、直前の第１接触モードの開始から当該第２接触モードの開始までの時間が設定値以下である場合に限り、直前の第１接触モードで操作された画像データの編集を取り消す請求項１〜３の何れか１項に記載の表示装置。
【請求項５】
画像データを表示する表示部と、
指に接触されるタッチパネルと、
前記タッチパネルが指にされた操作に基づいて、画像データを編集するデータ編集部と、
前記タッチパネルが指にされた操作に基づいて、画像データを前記表示部に表示する状態を制御する表示制御部と、
前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、
前記モード制御部は、非接触モードにおいて、前記タッチパネルが指に接触された際に、第１接触モードに切り替えると共に、第１接触モードにおいて、前記タッチパネルが設定値以上の時間を同じ位置で指に接触された際に、第２接触モードに切り替え、
前記データ編集部は、第２接触モードに切り替わった際に、直前の第１接触モードにおける接触時間及び接触操作距離の少なくとも一方が閾値以下である場合に、直前の第１接触モードで操作された画像データの編集を取り消す、表示装置。
【請求項６】
画像データを記憶する記憶装置と、
前記記憶装置に画像データを送信する画像送信装置と、
前記記憶装置で記憶される画像データを前記表示部で表示する請求項１〜５の何れか１項に記載の表示装置と、を備える表示システム。
【請求項７】
コンピュータに、
画像データを表示部に表示することと、
タッチパネルに接触した指の操作を検出することと、
前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、
前記タッチパネルが所定本数の指に接触された際に、第１接触モードに切り替えると共に、前記タッチパネルが第１接触モードと異なる本数の指に接触された際に、第２接触モードに切り替えることと、
第１接触モードから直接に第２接触モードに切り替わった際に、直前の第１接触モードで操作された画像データの編集を取り消すことと、
を実行させるコンピュータプログラム。
【請求項８】
コンピュータに、
画像データを表示部に表示することと、
タッチパネルに接触した指の操作を検出することと、
前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、
前記タッチパネルが所定本数の指に接触された際に、第１接触モードに切り替えると共に、前記タッチパネルが第１接触モードと異なる本数の指に接触された際に、第２接触モードに切り替えることと、
第２接触モードに切り替わった際に、直前の第１接触モードにおける接触時間及び接触操作距離の少なくとも一方が閾値以下である場合に、直前の第１接触モードで操作された画像データの編集を取り消すことと、
を実行させるコンピュータプログラム。
【請求項９】
コンピュータに、
画像データを表示部に表示することと、
タッチパネルに接触した指の操作を検出することと、
前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、
非接触モードにおいて、前記タッチパネルが指に接触された際に、第１接触モードに切り替えると共に、第１接触モードにおいて、前記タッチパネルが同じ位置で設定値以上の時間を指に接触された際に、第２接触モードに切り替えることと、
第２接触モードに切り替わった際に、直前の第１接触モードにおける接触時間及び接触操作距離の少なくとも一方が閾値以下である場合に、直前の第１接触モードで操作された画像データの編集を取り消すことと、
を実行させるコンピュータプログラム。
【発明の詳細な説明】
【技術分野】
【０００１】
本発明は、画像データを表示する表示部と、指に接触されるタッチパネルとを備える表示装置に関する。また、本発明は、該表示装置を備える表示システムに関する。さらに、本発明は、コンピュータに、画像データを表示部に表示することを実行させるコンピュータプログラムに関する。
【背景技術】
【０００２】
従来、表示装置として、画像データを表示する表示部と、指に接触されるタッチパネルとを備える表示装置が知られている（例えば、特許文献１及び２）。表示装置は、タッチパネルに接触した指の本数に応じて、画像データを操作するモードを切り替えるため、利便性を向上させている。
【０００３】
例えば、ユーザが２本指のモードによる操作を望む場合は、２本の指がタッチパネルに同時に接触されなければならない。しかしながら、１本目の指がタッチパネルに誤って先に接触した場合は、ユーザの意図と異なり、１本指のモードによる操作が実行される。
【先行技術文献】
【特許文献】
【０００４】
【特許文献１】特開２０１０−１０２３８１号公報
【特許文献２】特開２０１２−  ３３１１８号公報
【発明の概要】
【発明が解決しようとする課題】
【０００５】
よって、本発明は、斯かる事情に鑑み、ユーザの意図と異なる操作が実行されることを抑制できる表示装置、表示システム及びコンピュータプログラムを提供することを課題とする。
【課題を解決するための手段】
【０００６】
本発明に係る表示装置は、画像データを表示する表示部と、指に接触されるタッチパネルと、前記タッチパネルが指にされた操作に基づいて、画像データを編集するデータ編集部と、前記タッチパネルが指にされた操作に基づいて、画像データを前記表示部に表示する状態を制御する表示制御部と、前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、前記モード制御部は、前記タッチパネルが所定本数の指に接触された際に、第１接触モードに切り替えると共に、前記タッチパネルが第１接触モードと異なる本数の指に接触された際に、第２接触モードに切り替え、前記データ編集部は、第１接触モードから直接に第２接触モードに切り替わった際に、直前の第１接触モードで操作された画像データの編集を取り消す。
【０００７】
本発明に係る表示装置によれば、タッチパネルが指に接触されていない非接触モードと、タッチパネルが所定本数の指に接触された第１接触モードと、タッチパネルが第１接触モードと異なる本数の指に接触された第２接触モードとが、存在する。第１接触モードにおいて、タッチパネルが指にされた操作に基づいて、データ編集部が画像データを編集する。第２接触モードにおいて、タッチパネルが指にされた操作に基づいて、表示制御部が画像データを表示部に表示する状態を制御する。
【０００８】
データ編集部は、第１接触モードから直接に第２接触モードに切り替わった際に、直前の第１接触モードで操作された画像データの編集を取り消す。これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。したがって、ユーザの意思と異なる操作が実行されることを抑制できる。
【０００９】
本発明に係る表示装置は、画像データを表示する表示部と、指に接触されるタッチパネルと、前記タッチパネルが指にされた操作に基づいて、画像データを編集するデータ編集部と、前記タッチパネルが指にされた操作に基づいて、画像データを前記表示部に表示する状態を制御する表示制御部と、前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、前記モード制御部は、前記タッチパネルが所定本数の指に接触された際に、第１接触モードに切り替えると共に、前記タッチパネルが第１接触モードと異なる本数の指に接触された際に、第２接触モードに切り替え、前記データ編集部は、第２接触モードに切り替わった際に、直前の第１接触モードにおける接触時間及び接触操作距離の少なくとも一方が閾値以下である場合に、直前の第１接触モードで操作された画像データの編集を取り消す。
【００１０】
本発明に係る表示装置によれば、タッチパネルが指に接触されていない非接触モードと、タッチパネルが所定本数の指に接触された第１接触モードと、タッチパネルが第１接触モードと異なる本数の指に接触された第２接触モードとが、存在する。第１接触モードにおいて、タッチパネルが指にされた操作に基づいて、データ編集部が画像データを編集する。第２接触モードにおいて、タッチパネルが指にされた操作に基づいて、表示制御部が画像データを表示部に表示する状態を制御する。
【００１１】
データ編集部は、第２接触モードに切り替わった際に、直前の第１接触モードにおける接触時間が閾値以下である場合に、直前の第１接触モードで操作された画像データの編集を取り消す。これに替えて又はこれに加えて、データ編集部は、第２接触モードに切り替わった際に、直前の第１接触モードにおける接触操作距離が閾値以下である場合に、直前の第１接触モードで操作された画像データの編集を取り消す。
【００１２】
これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。したがって、ユーザの意思と異なる操作が実行されることを抑制できる。
【００１３】
本発明に係る表示装置においては、前記モード制御部は、第１接触モードにおいて、前記タッチパネルが指に接触されていない状態の時間が設定値以上である場合に、非接触モードに切り替える、という構成でもよい。
【００１４】
斯かる構成によれば、第１接触モードにおいて、タッチパネルが指に接触されていない状態の時間が設定値以上である場合に、モード制御部が非接触モードに切り替える。これにより、ユーザの意図と異なり、指がタッチパネルから僅かに離れた場合、又は指がタッチパネルに接触していても接触の検出不良が発生した場合に、ユーザの意図する第１接触モードが保持される。
【００１５】
本発明に係る表示装置においては、前記データ編集部は、第２接触モードに切り替わった際に、直前の第１接触モードの開始から当該第２接触モードの開始までの時間が設定値以下である場合に限り、直前の第１接触モードで操作された画像データの編集を取り消す、という構成でもよい。
【００１６】
斯かる構成によれば、第２接触モードに切り替わった際に、直前の第１接触モードの開始から当該第２接触モードの開始までの時間が設定値以下である場合に限り、データ編集部が、直前の第１接触モードで操作された画像データの編集を取り消す。これにより、第１接触モードに対応する接触が僅かである場合に限り、ユーザが意図していない操作として、当該第１接触モードで操作された画像の編集を取り消すことができる。
【００１７】
本発明に係る表示装置は、画像データを表示する表示部と、指に接触されるタッチパネルと、前記タッチパネルが指にされた操作に基づいて、画像データを編集するデータ編集部と、前記タッチパネルが指にされた操作に基づいて、画像データを前記表示部に表示する状態を制御する表示制御部と、前記タッチパネルが指に接触されていない非接触モードと、前記データ編集部が画像データを編集する第１接触モードと、前記表示制御部が画像データを前記表示部に表示する状態を制御する第２接触モードと、に切り替えるモード制御部と、を備え、前記モード制御部は、非接触モードにおいて、前記タッチパネルが指に接触された際に、第１接触モードに切り替えると共に、第１接触モードにおいて、前記タッチパネルが設定値以上の時間を同じ位置で指に接触された際に、第２接触モードに切り替え、前記データ編集部は、第２接触モードに切り替わった際に、直前の第１接触モードにおける接触時間及び接触操作距離の少なくとも一方が閾値以下である場合に、直前の第１接触モードで操作された画像データの編集を取り消す。
【００１８】
本発明に係る表示装置によれば、タッチパネルが指に接触されていない非接触モードと、非接触モードにおいて、タッチパネルが指に接触された第１接触モードと、第１接触モードにおいて、タッチパネルが設定値以上の時間を同じ位置で指に接触された第２接触モードとが、存在する。第１接触モードにおいて、タッチパネルが指にされた操作に基づいて、データ編集部が画像データを編集する。第２接触モードにおいて、タッチパネルが指にされた操作に基づいて、表示制御部が画像データを表示部に表示する状態を制御する。
【００１９】
データ編集部は、第２接触モードに切り替わった際に、直前の第１接触モードにおける接触時間が閾値以下である場合に、直前の第１接触モードで操作された画像データの編集を取り消す。これに替えて又はこれに加えて、データ編集部は、第２接触モードに切り替わった際に、直前の第１接触モードにおける接触操作距離が閾値以下である場合に、直前の第１接触モードで操作された画像データの編集を取り消す。
【００２０】
これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。したがって、ユーザの意思と異なる操作が実行されることを抑制できる。
【００２１】
本発明に係る表示システムは、画像データを記憶する記憶装置と、前記記憶装置に画像データを送信する画像送信装置と、前記記憶装置で記憶される画像データを前記表示部で表示する前記表示装置と、を備える。
【００２２】
本発明に係るコンピュータプログラムは、コンピュータに、画像データを表示部に表示することと、タッチパネルに接触した指の操作を検出することと、前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、前記タッチパネルが所定本数の指に接触された際に、第１接触モードに切り替えると共に、前記タッチパネルが第１接触モードと異なる本数の指に接触された際に、第２接触モードに切り替えることと、第１接触モードから直接に第２接触モードに切り替わった際に、直前の第１接触モードで操作された画像データの編集を取り消すことと、を実行させる。
【００２３】
本発明に係るコンピュータプログラムは、コンピュータに、画像データを表示部に表示することと、タッチパネルに接触した指の操作を検出することと、前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、前記タッチパネルが所定本数の指に接触された際に、第１接触モードに切り替えると共に、前記タッチパネルが第１接触モードと異なる本数の指に接触された際に、第２接触モードに切り替えることと、第２接触モードに切り替わった際に、直前の第１接触モードにおける接触時間及び接触操作距離の少なくとも一方が閾値以下である場合に、直前の第１接触モードで操作された画像データの編集を取り消すことと、を実行させる。
【００２４】
本発明に係るコンピュータプログラムは、コンピュータに、画像データを表示部に表示することと、タッチパネルに接触した指の操作を検出することと、前記タッチパネルが指に接触されていない非接触モードと、前記タッチパネルが指にされた操作に基づいて、画像データを編集する第１接触モードと、前記タッチパネルが指にされた操作に基づいて、画像データを前記表示部に表示する状態を制御する第２接触モードと、に切り替えることと、非接触モードにおいて、前記タッチパネルが指に接触された際に、第１接触モードに切り替えると共に、第１接触モードにおいて、前記タッチパネルが同じ位置で設定値以上の時間を指に接触された際に、第２接触モードに切り替えることと、第２接触モードに切り替わった際に、直前の第１接触モードにおける接触時間及び接触操作距離の少なくとも一方が閾値以下である場合に、直前の第１接触モードで操作された画像データの編集を取り消すことと、を実行させる。
【発明の効果】
【００２５】
以上の如く、本発明によれば、ユーザの意思と異なる操作が実行されることを抑制できるという優れた効果を奏する。
【図面の簡単な説明】
【００２６】
【図１】図１は、本発明の一実施形態に係る表示システムの全体ブロック図を示す。
【図２】図２は、同実施形態に係る表示装置における制御部の全体ブロック図を示す。
【図３】図３は、同実施形態に係る表示装置のフローチャートを示す。
【図４】図４は、同実施形態に係る表示装置の制御を説明する図であって、タッチパネルが指に接触される時間を示す。
【図５】図５は、同実施形態に係る表示装置の制御を説明する図であって、タッチパネルが指に接触された軌跡を示す。
【図６】図６は、同実施形態に係る表示装置の表示部で表示される画像を示す。
【図７】図７は、同実施形態に係る表示装置の表示部で表示される画像を示す。
【図８】図８は、同実施形態に係る表示装置の制御を説明する図であって、タッチパネルが指に接触された時間を示す。
【図９】図９は、同実施形態に係る表示装置の制御を説明する図であって、タッチパネルが指に接触された軌跡を示す。
【図１０】図１０は、同実施形態に係る表示装置の表示部で表示される画像を示す。
【図１１】図１１は、同実施形態に係る表示装置の表示部で表示される画像を示す。
【図１２】図１２は、本発明の他の実施形態に係る表示装置のフローチャートを示す。
【図１３】図１３は、同実施形態に係る表示装置の制御を説明する図であって、タッチパネルが指に接触された時間を示す。
【図１４】図１４は、同実施形態に係る表示装置の制御を説明する図であって、タッチパネルが指に接触された時間を示す。
【図１５】図１５は、本発明のさらに他の実施形態に係る表示装置のフローチャートを示す。
【図１６】図１６は、同実施形態に係る表示装置の制御を説明する図であって、タッチパネルが指に接触された軌跡を示す。
【図１７】図１７は、同実施形態に係る表示装置の制御を説明する図であって、タッチパネルが指に接触された軌跡を示す。
【発明を実施するための形態】
【００２７】
＜第１実施形態＞
以下、本発明に係る表示装置、表示システム及びコンピュータプログラムにおける第１の実施形態について、図１〜図１１を参酌して説明する。
【００２８】
図１に示すように、本実施形態に係る表示システム１は、画像データを表示する表示装置２と、画像データを記憶する例えばストレージサーバ等の記憶装置３と、画像データを各装置２，３に送信する複合機４と、各装置２，３，４に接続され、各装置２，３，４間でデータの送受信を可能にする通信網５とを備えている。を備えている。なお、画像データは、図柄データだけでなく、文字データ等も含む概念である。
【００２９】
表示装置２は、アンテナ１１を経由して各種データを送受信する無線通信部１２と、画像データを表示する例えば液晶ディスプレイ等の表示部１３と、指に接触されるタッチパネル１４とを備えている。表示装置２は、装置全体を制御する制御部１５と、画像データ等の各種データを記憶する記憶部１６とを備えている。本実施形態において、表示装置２は、携帯端末である。
【００３０】
タッチパネル１４は、表示部１３の上に重ねて配置されている。タッチパネル１４は、ユーザの指による入力を検出し、その位置を表す位置データ（座標データ）を制御部１５に出力する。タッチパネル１４は、同時に任意の複数の入力を検出可能に構成されている。本実施形態において、タッチパネル１４は、ユーザの指による接触（押圧）を検出するように、静電容量の変化を検出する透明な平板状の静電容量センサから構成されている。
【００３１】
制御部１５は、図２に示すように、タッチパネル１４から出力された位置データに基づいて、タッチパネル１４が指にされた操作を検出するタッチパネル検出部２１と、表示装置２のモードを切り替えるモード制御部２２とを備えている。制御部１５は、タッチパネル１４が指にされた操作に基づいて、画像データを編集するデータ編集部２３と、タッチパネル１４が指にされた操作に基づいて、画像データを表示部１３に表示する状態を制御する表示制御部２４とを備えている。
【００３２】
タッチパネル検出部２１は、タッチパネル１４から出力された位置データに基づいて、タッチパネル１４に接触した指の本数を検出すると共に、指ごとに、タッチパネル１４にした操作の内容（接触の軌跡）を検出する。具体的には、タッチパネル検出部２１は、ある指がタッチパネル１４に接触した時に所定の操作が開始し、その指がタッチパネル１４から離れた時に該操作が終了し、その指がタッチパネル１４に再び接触した時に新たな操作が開始する、というように検出する。
【００３３】
モード制御部２２は、タッチパネル検出部２１が検出したデータに基づいて、モードを判定するモード判定部２２ａと、モードが頻繁に切り替わることを抑制するモード保持部２２ｂとを備えている。モード制御部２２は、モード判定部２２ａ及びモード保持部２２ｂの判定に基づいて、モードを切り替えるモード切替部２２ｃを備えている。
【００３４】
モード判定部２２ａは、タッチパネル１４が指に接触されていない際に、非接触モードと判定する。モード判定部２２ａは、タッチパネル１４が１本の指に接触された際に、第１接触モードと判定する。モード判定部２２ａは、タッチパネル１４が２本（又はそれ以上）の指に接触された際に、第２接触モードと判定する。
【００３５】
モード保持部２２ｂは、第１接触モードにおいて、タッチパネル１４が指に接触されていない状態の時間が第１の設定値ＳＶ１未満である場合に、第１接触モードを保持する。これにより、モード保持部２２ｂは、指がタッチパネル１４から僅かに離れた場合に、ユーザの意図していない操作と判定する。
【００３６】
モード切替部２２ｃは、原則的には、モード判定部２２ａの判定に基づいて、モードを切り替える。モード切替部２２ｃは、モード判定部２２ａの判定よりも、モード保持部２２ｂの判定を優先する。これにより、モード切替部２２ｃは、第１接触モードにおいて、タッチパネル１４が指に接触されていない状態の時間が第１の設定値ＳＶ１以上である場合に、非接触モードに切り替える。
【００３７】
なお、第１の設定値ＳＶ１は、記憶部１６に記憶されている。第１の設定値ＳＶ１は、一定値であってもよく、また、タッチパネル１４を経由して任意に設定されてもよい。本実施形態においては、第１の設定値ＳＶ１は、一定値である。
【００３８】
データ編集部２３は、第１接触モードにおいて、タッチパネル検出部２１が検出したデータに基づいて、画像データの編集データを形成する編集データ形成部２３ａを備えている。データ編集部２３は、編集データ形成部２３ａで形成した編集データに基づいて、画像データの編集を確定するか又は取り消すかを判定する編集判定部２３ｂを備えている。
【００３９】
編集判定部２３ｂは、第２接触モードに切り替わった際に、第１及び第２の取消条件を満たした場合に、直前の第１接触モードで操作された画像データの編集を取り消す。第１の取消条件は、第１接触モードから直接に第２接触モードに切り替わる、という条件である。第２の取消条件は、直前の第１接触モードの開始から第２接触モードの開始までの時間が第２の設定値ＳＶ２以下である、という条件である。
【００４０】
即ち、編集判定部２３ｂは、第１の取消条件及び第２の取消条件の少なくとも一方を満たさない場合に、直前の第１接触モードで操作された画像データの編集を確定する。例えば、モード制御部２２が第１接触モード、非接触モード、第２接触モードの順に切り替えた場合、第１の取消条件が満たされない。斯かる場合、当該第１接触モードで操作された画像データの編集は、非接触モードに切り替わった時点で確定される。
【００４１】
なお、第２の設定値ＳＶ２は、記憶部１６に記憶されている。第２の設定値ＳＶ２は、一定値であってもよく、また、タッチパネル１４を経由して任意に設定されてもよい。本実施形態においては、第２の設定値ＳＶ２は、一定値である。
【００４２】
表示制御部２４は、第２接触モードにおいて、タッチパネル検出部２１が検出したデータに基づいて、画像データを表示部１３に表示する状態を制御する。例えば、表示制御部２４は、タッチパネル１４に接触する２本の指が同じ方向に移動した際に、表示領域を移動し、タッチパネル１４に接触する２本の指が接離するように移動した際に、表示倍率（表示領域）を変更する。
【００４３】
記憶部１６は、制御部１５が制御するコンピュータプログラム１６ａを備えている。記憶部１６は、第１の設定値ＳＶ１、第２の設定値ＳＶ２及び画像データを記憶している。なお、画像データは、第１接触モードから他のモードに切り替わるたびに、記憶部１６に記憶される。そして、編集判定部２３ｂが画像データの編集を取り消すと判定した場合、画像データは、直前の第１接触モード開始時の画像データに戻される。
【００４４】
複合機４は、原稿を読み取ることで画像データを形成する原稿読取装置４ａと、外部の装置（図示していない）又は内部の原稿読取装置４ａから送信された画像データを受信し、通信網５を経由して該画像データを表示装置２又は記憶装置３に送信する画像送信装置４ｂと、画像データに基づいて、記録紙に画像を形成する画像形成装置４ｃとを備えている。複合機４は、各種データを記憶する装置（図示していない）を備えている。
【００４５】
本実施形態に係る表示装置２、表示システム１及びコンピュータプログラム１６ａの構成については以上の通りであり、次に、本実施形態に係る表示装置２の制御について、図３〜図１１を参酌して説明する。
【００４６】
まず、表示装置２が第１の操作例に係る操作をされた場合について説明する。第１の操作例においては、図４に示すように、第１の指は、タッチパネル１４に対し、時間Ｔ１で接触し、時間Ｔ１ａで一度離れ、時間Ｔ１ｂで再び接触し、そして、時間Ｔ３で再び離れる。第２の指は、タッチパネル１４に対し、時間Ｔ１ｂより遅い時間Ｔ２で接触し、そして、時間Ｔ３で第１の指と同時に離れる。
【００４７】
タッチパネル１４に接触した各指の軌跡が図５に示されている。図５（以下、図６、図９、図１０、図１６及び図１７も同様）において、時間Ｔｘにおける第１の指の接触位置がＡｘで示されており、時間Ｔｘにおける第２の指の接触位置がＢｘで示されている。
【００４８】
図４及び図５に示すように、時間Ｔ１において、第１の指がタッチパネル１４に接触することにより、モード制御部２２が非接触モードから第１接触モードに切り替える。時間Ｔ１ａにおいて、第１の指がタッチパネル１４から一度離れ、時間Ｔ１ｂにおいて、第１の指がタッチパネル１４に再び接触する。
【００４９】
ここで、第１の指がタッチパネル１４から離れた時間は、第１の設定値ＳＶ１より小さい（Ｔ１ｂ−Ｔ１ａ＜ＳＶ１）。これにより、モード制御部２２は、第１接触モードを保持する一方、データ編集部２３は、タッチパネル１４が第１の指に位置Ａ１ａから位置Ａ１ｂへ直線状に接触されたとして、編集データＤ１を形成する。
【００５０】
時間Ｔ２において、第１の指がタッチパネル１４に接触した状態で、第２の指がタッチパネル１４に接触することにより、モード制御部２２が第１接触モードから第２接触モードに切り替える（ステップ１００）。データ編集部２３は、第１接触モードから直接に第２接触モードに切り替わったと判定する（ステップ１０１の「Ｙ」）。
【００５１】
そして、データ編集部２３は、直前の第１接触モードの開始Ｔ１から第２接触モードの開始Ｔ２までの時間が第２の設定値ＳＶ２より大きい（Ｔ２−Ｔ１＞ＳＶ２）と判定する（ステップ１０２の「Ｎ」）。これにより、データ編集部２３は、図６に示すように、第１接触モードで形成された編集データＤ１に基づく画像データの編集を確定する（ステップ１０４）。
【００５２】
時間Ｔ２から時間Ｔ３において、第１及び第２の指が互いに離反するように移動するため、図７に示すように、表示制御部２４は、表示部１３で表示される画像データの表示倍率を大きくする。時間Ｔ３において、第１及び第２の指がタッチパネル１４から離れることにより、モード制御部２２が第２接触モードから非接触モードに切り替える。
【００５３】
次に、表示装置２が第２の操作例に係る操作をされた場合について説明する。第２の操作例においては、図８に示すように、第１の指は、タッチパネル１４に対し、時間Ｔ４で接触し、そして、時間Ｔ６で離れる。第２の指は、タッチパネル１４に対し、時間Ｔ４より遅い時間Ｔ５で接触し、そして、時間Ｔ６で第１の指と同時に離れる。タッチパネル１４に接触した各指の軌跡が図９に示されている。
【００５４】
図８及び図９に示すように、時間Ｔ４において、第１の指がタッチパネル１４に接触することにより、モード制御部２２が非接触モードから第１接触モードに切り替える。時間Ｔ５において、第１の指がタッチパネル１４に接触した状態で、第２の指がタッチパネル１４に接触することにより、モード制御部２２が第１接触モードから第２接触モードに切り替える（ステップ１００）。
【００５５】
データ編集部２３は、第１接触モードから直接に第２接触モードに切り替わったと判定する（ステップ１０１の「Ｙ」）。そして、データ編集部２３は、直前の第１接触モードの開始Ｔ４から第２接触モードの開始Ｔ５までの時間が第２の設定値ＳＶ２より小さい（Ｔ５−Ｔ４＜ＳＶ２）と判定する（ステップ１０２の「Ｙ」）。これにより、データ編集部２３は、図１０に示すように、第１接触モードで形成された編集データＤ１に基づく画像データの編集を取り消す（ステップ１０３）。
【００５６】
時間Ｔ５から時間Ｔ６において、第１及び第２の指が互いに離反するように移動するため、図１１に示すように、表示制御部２４は、表示部１３で表示される画像データの表示倍率を大きくする。時間Ｔ６において、第１及び第２の指がタッチパネル１４から離れることにより、モード制御部２２が第２接触モードから非接触モードに切り替える。
【００５７】
以上より、本実施形態に係る表示装置２によれば、データ編集部２３は、第１接触モードから直接に第２接触モードに切り替わった際に、直前の第１接触モードで操作された画像データの編集を取り消す。これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。したがって、ユーザの意思と異なる操作が実行されることを抑制できる。
【００５８】
また、本実施形態に係る表示装置２によれば、第１接触モードにおいて、タッチパネル１４が指に接触されていない状態の時間が第１の設定値ＳＶ１以上である場合に、モード制御部２２が非接触モードに切り替える。これにより、ユーザの意図と異なり、指がタッチパネル１４から僅かに離れた場合、又は指がタッチパネルに接触していても接触の検出不良が発生した場合に、ユーザの意図する第１接触モードが保持される。
【００５９】
また、本実施形態に係る表示装置２によれば、第２接触モードに切り替わった際に、直前の第１接触モードの開始から当該第２接触モードの開始までの時間が第２の設定値ＳＶ２以下である場合に限り、データ編集部２３が、直前の第１接触モードで操作された画像データの編集を取り消す。これにより、第１接触モードに対応する接触が僅かである場合に限り、ユーザが意図していない操作として、当該第１接触モードで操作された画像の編集を取り消すことができる。
【００６０】
＜第２実施形態＞
次に、本発明に係る表示装置２における第２の実施形態について、図１２〜図１４を参酌して説明する。
【００６１】
本実施形態に係る表示装置２において、データ編集部２３（編集判定部２３ｂ）は、第２接触モードに切り替わった際に、第３の取消条件を満たした場合に、直前の第１接触モードで操作された画像データの編集を取り消す。第３の取消条件は、直前の第１接触モードにおける接触時間が第１の閾値ＴＶ１以下である、という条件である。
【００６２】
なお、第１の閾値ＴＶ１は、記憶部１６に記憶されている。第１の閾値ＴＶ１は、一定値であってもよく、また、タッチパネル１４を経由して任意に設定されてもよい。本実施形態においては、第１の閾値ＴＶ１は、一定値である。
【００６３】
ここで、表示装置２が上記第２の操作例（図８及び図９参照）に係る操作をされた場合について説明する。図１３に示すように、時間Ｔ４において、第１の指がタッチパネル１４に接触することにより、モード制御部２２が非接触モードから第１接触モードに切り替える。
【００６４】
時間Ｔ５において、第１の指がタッチパネル１４に接触した状態で、第２の指がタッチパネル１４に接触することにより、モード制御部２２が第１接触モードから第２接触モードに切り替える（ステップ１１０）。データ編集部２３は、直前の第１接触モードにおける接触時間が第１の閾値ＴＶ１以下である（Ｔ５−Ｔ４≦ＴＶ１）と判定する（ステップ１１１の「Ｙ」）。
【００６５】
これにより、データ編集部２３は、直前の第１接触モードで形成された編集データに基づく画像データの編集を取り消す（ステップ１１２）。なお、データ編集部２３は、直前の第１接触モードにおける接触時間が第１の閾値ＴＶ１より大きい（Ｔ５−Ｔ４＞ＴＶ１）と判定した場合（ステップ１１１の「Ｎ」）、直前の第１接触モードで形成された編集データに基づく画像データの編集を確定する（ステップ１１３）。時間Ｔ６において、第１及び第２の指がタッチパネル１４から離れることにより、モード制御部２２が第２接触モードから非接触モードに切り替える。
【００６６】
次に、表示装置２が第３の操作例に係る操作をされた場合について説明する。第３の操作例においては、図１４に示すように、第１の指は、タッチパネル１４に対し、時間Ｔ７で接触し、時間Ｔ８で離れる。その後、第１及び第２の指は、タッチパネル１４に対し、時間Ｔ９で同時に接触し、時間Ｔ１０で同時に離れる。
【００６７】
時間Ｔ７において、第１の指がタッチパネル１４に接触することにより、モード制御部２２が非接触モードから第１接触モードに切り替える。時間Ｔ８において、第１の指がタッチパネル１４から離れることにより、モード制御部２２が第１接触モードから非接触モードに切り替える。
【００６８】
時間Ｔ９において、第１及び第２の指がタッチパネル１４に同時に接触することにより、モード制御部２２が非接触モードから第２接触モードに切り替える（ステップ１１０）。データ編集部２３は、直前の第１接触モードにおける接触時間が第１の閾値ＴＶ１以下である（Ｔ８−Ｔ７≦ＴＶ１）と判定する（ステップ１１１の「Ｙ」）。
【００６９】
これにより、データ編集部２３は、直前の第１接触モードで形成された編集データに基づく画像データの編集を取り消す（ステップ１１２）。時間Ｔ１０において、第１及び第２の指がタッチパネル１４から離れることにより、モード制御部２２が第２接触モードから非接触モードに切り替える。
【００７０】
以上より、本実施形態係る表示装置２によれば、データ編集部２３は、第２接触モードに切り替わった際に、直前の第１接触モードにおける接触時間が第１の閾値ＴＶ１以下である場合に、直前の第１接触モードで操作された画像データの編集を取り消す。これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。
【００７１】
＜第３実施形態＞
次に、本発明に係る表示装置２における第３の実施形態について、図１５〜図１７を参酌して説明する。
【００７２】
本実施形態に係る表示装置２において、データ編集部２３（編集判定部２３ｂ）は、第２接触モードに切り替わった際に、第４の取消条件を満たした場合に、直前の第１接触モードで操作された画像データの編集を取り消す。第４の取消条件は、直前の第１接触モードにおける接触操作距離が第２の閾値ＴＶ２以下である、という条件である。
【００７３】
なお、第２の閾値ＴＶ２は、記憶部１６に記憶されている。第２の閾値ＴＶ２は、一定値であってもよく、また、タッチパネル１４を経由して任意に設定されてもよい。本実施形態においては、第２の閾値ＴＶ２は、一定値である。
【００７４】
ここで、本実施形態に係る表示装置２が上記第２の操作例（図１３参照）に係る操作をされた場合について説明する。時間Ｔ４において、第１の指がタッチパネル１４に接触することにより、モード制御部２２が非接触モードから第１接触モードに切り替える。
【００７５】
時間Ｔ５において、第１の指がタッチパネル１４に接触した状態で、第２の指がタッチパネル１４に接触することにより、モード制御部２２が第１接触モードから第２接触モードに切り替える（ステップ１２０）。データ編集部２３は、図１６に示すように、直前の第１接触モードにおける接触操作距離が第２の閾値ＴＶ２以下である（Ａ４及びＡ５間の距離≦ＴＶ２）と判定する（ステップ１２１の「Ｙ」）。
【００７６】
これにより、データ編集部２３は、直前の第１接触モードで形成された編集データに基づく画像データの編集を取り消す（ステップ１２２）。なお、データ編集部２３は、直前の第１接触モードにおける接触操作距離が第２の閾値ＴＶ２より大きい（Ａ４及びＡ５間の距離＞ＴＶ２）と判定した場合（ステップ１２１の「Ｎ」）、直前の第１接触モードで形成された編集データに基づく画像データの編集を確定する（ステップ１２３）。時間Ｔ６において、第１及び第２の指がタッチパネル１４から離れることにより、モード制御部２２が第２接触モードから非接触モードに切り替える。
【００７７】
次に、表示装置２が第３の操作例（図１４参照）に係る操作をされた場合について説明する。時間Ｔ７において、第１の指がタッチパネル１４に接触することにより、モード制御部２２が非接触モードから第１接触モードに切り替える。時間Ｔ８において、第１の指がタッチパネル１４から離れることにより、モード制御部２２が第１接触モードから非接触モードに切り替える。
【００７８】
時間Ｔ９において、第１及び第２の指がタッチパネル１４に同時に接触することにより、モード制御部２２が非接触モードから第２接触モードに切り替える（ステップ１２０）。データ編集部２３は、直前の第１接触モードにおける接触操作距離が第２の閾値ＴＶ２以下である（Ａ７及びＡ８間の距離≦ＴＶ２）と判定する（ステップ１２１の「Ｙ」）。
【００７９】
これにより、データ編集部２３は、直前の第１接触モードで形成された編集データに基づく画像データの編集を取り消す（ステップ１２２）。時間Ｔ１０において、第１及び第２の指がタッチパネル１４から離れることにより、モード制御部２２が第２接触モードから非接触モードに切り替える。
【００８０】
以上より、本実施形態係る表示装置２によれば、データ編集部２３は、第２接触モードに切り替わった際に、直前の第１接触モードにおける接触操作距離が第２の閾値ＴＶ２以下である場合に、直前の第１接触モードで操作された画像データの編集を取り消す。これにより、ユーザの意図していない第１接触モードに対応する操作がされた後に、ユーザの意図する第２接触モードに対応する操作がされた場合に、ユーザの意図していない第１接触モードで操作された画像の編集を取り消すことができる。
【００８１】
なお、本発明に係る表示装置、表示システム及びコンピュータプログラムは、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００８２】
上記実施形態に係る表示装置２においては、モード制御部２２は、タッチパネル１４が１本の指に接触された際に、第１接触モードに切り替えると共に、タッチパネル１４が２本の指に接触された際に、第２接触モードに切り替える、という構成である。しかしながら、本発明に係る表示装置２は、斯かる構成に限られない。
【００８３】
例えば、本発明に係る表示装置２においては、モード制御部２２は、タッチパネル１４が複数本の指に接触された際に、第１接触モードに切り替えると共に、タッチパネル１４が第１接触モードと異なる本数の指に接触された際に、第２接触モードに切り替える、という構成でもよい。また、本発明に係る表示装置２においては、モード制御部２２は、非接触モードにおいて、タッチパネル１４が指に接触された際に、第１接触モードに切り替えると共に、第１接触モードにおいて、タッチパネル１４が設定値以上の時間を同じ位置で指に接触された際に、第２接触モードに切り替える、という構成でもよい。
【００８４】
また、上記実施形態に係る表示装置２においては、データ編集部２３は、タッチパネル１４が指にされた手書き入力操作に基づいて、画像データを編集する、という構成である。しかしながら、本発明に係る表示装置２は、斯かる構成に限られない。例えば、本発明に係る表示装置２においては、データ編集部２３は、タッチパネル１４が指にされた画像の一部消去又は文字の位置指定等の入力操作に基づいて、画像データを編集する、という構成でもよい。
【００８５】
また、上記第１実施形態に係る表示装置２においては、データ編集部２３は、第２接触モードに切り替わった際に、第１及び第２の取消条件を満たした場合に、直前の第１接触モードで操作された画像データの編集を取り消す、という構成である。しかしながら、本発明に係る表示装置２は、斯かる構成に限られない。例えば、データ編集部２３は、第２接触モードに切り替わった際に、第１の取消条件のみを満たした場合に、直前の第１接触モードで操作された画像データの編集を取り消す、という構成でもよい。
【００８６】
また、上記実施形態に係る表示システム１においては、表示装置２は、携帯端末であって、複合機４と別装置である、という構成である。しかしながら、本発明に係る表示システム１は、斯かる構成に限られない。例えば、本発明に係る表示システム１においては、表示装置２は、複合機４に含まれる、という構成でもよく、また、表示装置２は、単体プリンタ等に含まれる、という構成でもよい。
【００８７】
また、上記実施形態に係る表示システム１においては、記憶装置３は、複合機４と別装置である、という構成である。しかしながら、本発明に係る表示システム１は、斯かる構成に限られない。例えば、本発明に係る表示システム１においては、記憶装置３は、複合機４に含まれる、という構成でもよい。
【００８８】
また、上記実施形態に係るコンピュータプログラム１６ａは、表示装置２の記憶部１６に格納されている。しかしながら、本発明に係るコンピュータプログラム１６ａは、斯かる構成に限られない。例えば、本発明に係るコンピュータプログラム１６ａは、例えばＣＤ又はＤＶＤ等の持ち運び可能（移動可能）な記録媒体に格納されていてもよい。
【符号の説明】
【００８９】
１…表示システム、２…表示装置、３…記憶装置、４…複合機、４ａ…原稿読取装置、４ｂ…画像送信装置、４ｃ…画像形成装置、５…通信網、１１…アンテナ、１２…無線通信部、１３…表示部、１４…タッチパネル、１５…制御部、１６…記憶部、１６ａ…コンピュータプログラム、２１…タッチパネル検出部、２２…モード制御部、２２ａ…モード判定部、２２ｂ…モード保持部、２２ｃ…モード切替部、２３…データ編集部、２３ａ…編集データ形成部、２３ｂ…編集判定部、２４…表示制御部
【図１】
2014099053.tif 000003
【図２】
2014099053.tif 000004
【図３】
2014099053.tif 000005
【図４】
2014099053.tif 000006
【図５】
2014099053.tif 000007
【図６】
2014099053.tif 000008
【図７】
2014099053.tif 000009
【図８】
2014099053.tif 000010
【図９】
2014099053.tif 000011
【図１０】
2014099053.tif 000012
【図１１】
2014099053.tif 000013
【図１２】
2014099053.tif 000014
【図１３】
2014099053.tif 000015
【図１４】
2014099053.tif 000016
【図１５】
2014099053.tif 000017
【図１６】
2014099053.tif 000018
【図１７】
2014099053.tif 000019